(57)【要約】【課題】  宅内ネットワークを介して各宅内機器と連動した動作が可能な料理支援システムを提供する。【解決手段】  料理レシピの内容が格納されている料理レシピ記憶部２５０ｂと、住宅内の各種情報が伝送される宅内ネットワークを介して接続した機能モジュール８，１０との間で情報信号の授受を行う通信部２０と、料理レシピ記憶部２５０ｂに格納されている料理レシピから、通信部２０を介して機能モジュール８，１０から受け取った情報信号に基づいて料理レシピを選択するレシピ選択部２５０ｃと、住宅内の台所に設置されてレシピ選択部２５０ｂが選択した料理レシピを表示する表示部２５０ｄとを備える。【選択図】図１
2007265048.tif 000002
【特許請求の範囲】
【請求項１】
料理レシピの内容が格納されている料理レシピ記憶手段と、
住宅内の各種情報が伝送される宅内ネットワークを介して接続した宅内機器との間で情報信号の授受を行う通信手段と、
料理レシピ記憶手段に格納されている料理レシピから、通信手段を介して宅内機器から受け取った情報信号に基づいて料理レシピを選択するレシピ選択手段と、
住宅内の台所に設置されてレシピ選択手段が選択した料理レシピの内容を表示する表示手段と
を備えることを特徴とする料理支援システム。
【請求項２】
前記宅内機器は、食材の在庫情報を格納した在庫記憶手段と、在庫情報を前記宅内ネットワークを介して送信する在庫情報送信手段とを備えた冷蔵庫であり、前記レシピ選択手段は、冷蔵庫から前記通信手段を介して受け取った在庫情報に基づいて調理可能な料理レシピを選択することを特徴とする請求項１記載の料理支援システム。
【請求項３】
前記宅内機器は、前記宅内ネットワークを介して料理のリクエスト情報を送信する料理リクエスト入力機器であり、前記レシピ選択手段は、料理リクエスト入力機器から前記通信手段を介して受け取ったリクエスト情報の内容に基づいて料理レシピを選択することを特徴とする請求項１記載の料理支援システム。
【請求項４】
前記料理リクエスト入力機器は、前記宅内ネットワークを介して音声情報の授受を行うインターホン装置であり、インターホン装置から前記通信手段を介して受け取った音声情報の内容を認識する音声認識手段を備えて、前記レシピ選択手段は、認識した音声情報の内容に基づいて料理レシピを選択することを特徴とする請求項３記載の料理支援システム。
【請求項５】
料理レシピを外部から取得する料理レシピ取得機器を宅内に設置して宅内ネットワークに接続し、前記料理レシピ記憶手段は、前記通信手段を介して料理レシピ取得機器から受け取った料理レシピを格納することを特徴とする請求項１乃至４いずれか記載の料理支援システム。
【請求項６】
造営面に埋め込み配設され、造営面の裏側に先行配線されて電力、情報信号を伝送する電線に接続された複数のゲート装置を備え、少なくとも前記料理レシピ記憶手段、通信手段、レシピ選択手段、表示手段を設けた料理支援モジュール、および前記宅内機器は、ゲート装置を介して電力を供給されるとともに互いに情報信号の授受を行うことを特徴とする請求項１乃至５いずれか記載の料理支援システム。
【発明の詳細な説明】
【技術分野】
【０００１】
本発明は、料理支援システムに関するものである。
【背景技術】
【０００２】
従来、調理者が、インターネットなどの情報網からダウンロードした調理方法や、種々の記録媒体に記録されている調理方法を参照して調理を行うために、調理に関する情報を必要なときに検索して料理レシピ等の形で出力することができる調理支援システムが提案されている（特許文献１）。
【特許文献１】特開２００５−２４２４９５公報
【発明の開示】
【発明が解決しようとする課題】
【０００３】
最近、住宅等では、インターホン装置、照明器具、セキュリティ設備等の宅内機器を情報線で互いに接続して宅内ネットワークを構成し、この宅内ネットワークを用いて住宅内の各種情報を伝送することで各機器の制御・監視を統合して行う配線システムが提案されている。
【０００４】
しかし、従来の調理支援システムは、この配線システムの宅内ネットワークに対応していないので、宅内ネットワークを介して各宅内機器と連動することができず、宅内ネットワークによる統合化のメリットを調理支援システムに生かすことができなかった。
【０００５】
本発明は、上記事由に鑑みてなされたものであり、その目的は、宅内ネットワークを介して各宅内機器と連動した動作が可能な料理支援システムを提供することにある。
【課題を解決するための手段】
【０００６】
請求項１の発明は、料理レシピの内容が格納されている料理レシピ記憶手段と、住宅内の各種情報が伝送される宅内ネットワークを介して接続した宅内機器との間で情報信号の授受を行う通信手段と、料理レシピ記憶手段に格納されている料理レシピから、通信手段を介して宅内機器から受け取った情報信号に基づいて料理レシピを選択するレシピ選択手段と、住宅内の台所に設置されてレシピ選択手段が選択した料理レシピの内容を表示する表示手段とを備えることを特徴とする。
【０００７】
この発明によれば、宅内ネットワークを介して各宅内機器から受け取った情報信号に基づいて料理レシピを選択、表示でき、宅内ネットワークを介して各宅内機器と連動した動作が可能となる。
【０００８】
請求項２の発明は、請求項１において、前記宅内機器は、食材の在庫情報を格納した在庫記憶手段と、在庫情報を前記宅内ネットワークを介して送信する在庫情報送信手段とを備えた冷蔵庫であり、前記レシピ選択手段は、冷蔵庫から前記通信手段を介して受け取った在庫情報に基づいて調理可能な料理レシピを選択することを特徴とする。
【０００９】
この発明によれば、食材の注文、買い出しをすることなく調理可能な料理がわかる。
【００１０】
請求項３の発明は、請求項１において、前記宅内機器は、前記宅内ネットワークを介して料理のリクエスト情報を送信する料理リクエスト入力機器であり、前記レシピ選択手段は、料理リクエスト入力機器から前記通信手段を介して受け取ったリクエスト情報の内容に基づいて料理レシピを選択することを特徴とする。
【００１１】
この発明によれば、家人のリクエストに応えながらも同一料理の重複を防止することができる。さらには、各人からの様々なリクエストに基づいて料理レシピを選択することができ、例えば、複数の家人からのリクエストがあった場合、料理の種類、味付け、使う食材等の各項目について各々多数決をとり、各項目において多数決をとった結果を総合して料理レシピを選択することができる。
【００１２】
請求項４の発明は、請求項１において、前記料理リクエスト入力機器は、前記宅内ネットワークを介して音声情報の授受を行うインターホン装置であり、インターホン装置から前記通信手段を介して受け取った音声情報の内容を認識する音声認識手段を備えて、前記レシピ選択手段は、認識した音声情報の内容に基づいて料理レシピを選択することを特徴とする。
【００１３】
この発明によれば、家人のリクエストに応えながらも同一料理の重複を防止することができる。
【００１４】
請求項５の発明は、請求項１乃至４いずれかにおいて、料理レシピを外部から取得する料理レシピ取得機器を宅内に設置して宅内ネットワークに接続し、前記料理レシピ記憶手段は、前記通信手段を介して料理レシピ取得機器から受け取った料理レシピを格納することを特徴とする。
【００１５】
この発明によれば、各家庭内に存在するＤＶＤレコーダやビデオデッキ等のテレビ映像録画機器や、インタネット網からデータのダウンロードが可能なパソコン等を料理レシピ取得機器として用いることで、様々な料理レシピを宅内ネットワークを介して容易に料理レシピ記憶手段に格納することができ、専用の料理レシピ取得機器を備える必要がなく、構成の簡略化、低コスト化を図ることができる。
【００１６】
請求項６の発明は、請求項１乃至５いずれかにおいて、造営面に埋め込み配設され、造営面の裏側に先行配線されて電力、情報信号を伝送する電線に接続された複数のゲート装置を備え、少なくとも前記料理レシピ記憶手段、通信手段、レシピ選択手段、表示手段を設けた料理支援モジュール、および前記宅内機器は、ゲート装置を介して電力を供給されるとともに互いに情報信号の授受を行うことを特徴とする。
【００１７】
この発明によれば、料理支援モジュール、宅内機器が電力路と情報路とを同時に確保できて、優れた施工性を得ることができる。さらに、料理支援モジュールは、ゲート装置に接続すれば、宅内機器との間で情報信号の授受を容易に行うことができるので、料理支援モジュールを新規に設置する場合、あるいは宅内機器を新規に設置する場合でも、ゲート装置を介して互いに情報信号の授受が可能となり、料理支援モジュールと宅内機器との連動を容易に行うことができる。
【発明の効果】
【００１８】
以上説明したように、本発明では、料理支援システムが宅内ネットワークを介して各宅内機器と連動して動作可能になるという効果がある。
【発明を実施するための最良の形態】
【００１９】
以下、本発明の実施の形態を図面に基づいて説明する。
【００２０】
（実施形態）
本実施形態の料理支援システムが適用される配線システムは、図２に示すように住宅やビル等の建物内の適所において埋め込み配設している１乃至複数のスイッチボックス２を設け、各スイッチボックス２間に壁面内に先行配線した電力線Ｌ１と、情報線Ｌ２とを送り配線するとともに、始端のスイッチボックス２に対しては、配線盤１内の主幹ブレーカＭＢと分岐ブレーカＢＢとを介して屋内に引き込まれた電力線Ｌ１を導入し、また外部のインターネット網ＮＴにゲートウェイＧＷ（ルータ、ハブ内蔵）を介して接続されている情報線Ｌ２を導入してある。ここでスイッチボックス２には室内の天井面のようなハイポジションＨＰに設けられるものと、壁スイッチ等で推奨される高さ位置の壁面のようなミドルポジションＭＰに設けられるものと、足元付近の壁面や床面のようなローポジションＬＰに設けられるものとに区分される。
【００２１】
これらのスイッチボックス２は、例えばＪＩＳで規格化された大角形の１個モジュール寸法の埋め込み型の配線器具が３個取り付けることができる１連の取付枠４（図７参照）に対応して規格化されており、図６に示すように上部から配線盤１または他のスイッチボックス２から送り配線されてくる電力線Ｌ１及び情報線Ｌ２を導入するとともに、下部からは他のスイッチボックス２へ送り配線するための電力線Ｌ１及び情報線Ｌ２を導出している。そして各スイッチボックス２には基本機能モジュール８を接続するゲート装置３のボディを夫々取付枠４により取り付けてある。
【００２２】
この取付枠４は図７に示すように中央に器具取り付け用の窓孔４ａを設けてあって、この窓孔４ａに取り付け対象の器具本体の前部を背方から嵌め、左右両側の枠片に設けた係止手段に器具本体の両側に設けた被係止部を係止させて器具本体を固定するようになっている。そして上下枠片に設けた取付孔４ｂに挿通する取り付けねじ（図示せず）をスイッチボックス２のねじ孔（図示せず）に締結することで、器具本体ごとスイッチボックス２に取り付けられる。またスイッチボックス２を用いず、埋め込み孔を開口した壁パネルに取り付ける場合には所謂挟み金具で壁パネルを挟持させて取り付けたり、木ねじを用いて取り付けることもできるようになっている。
【００２３】
ゲート装置３は図８に示すようにボディ背面部に速結端子構造の接続端子部５ａ，５ｂ及び送り配線用の接続端子部５ａ’、５ｂ’を設け、夫々に対応する電力線Ｌ１、情報線Ｌ２を接続するようになっている。またボディ前面部には、送られてきた電力線Ｌ１と電気的に接続されている接触部を備えた電力路接続口６Ａと、送られてきた情報線Ｌ２と電気的に接続されている情報路接続口６Ｂとを有しモジュール化した接続口６を図７に示すように備えている。
【００２４】
これら接続口６Ａ，６Ｂは両者間の間隔及び内部の接触部の配列、開口部の形状等がシステムとして規格化されており、このゲート装置３のボディ前面部を覆うようにスイッチボックス２の前面開口側に取り付ける図９に示す基本機能モジュール８の背面部に設けたコネクタ７の被接続部７Ａ、７Ｂが各接続口６Ａ，６Ｂに着脱自在に結合されるようになっている。
【００２５】
基本機能モジュール８は、後述する拡張機能モジュール１０とで機能モジュールを構成するもので、図９，図１０（ａ）に示す合成樹脂製（ＡＢＳ等の非結晶性汎用プラスチック）で扁平なモジュール本体８Ａ内に図１２に示す回路を内蔵しているもので、背面部のコネクタ７の被接続部７Ａ，７Ｂをゲート装置３の接続口６Ａ，６Ｂに結合させることで、スイッチボックス２の前面開口を覆うとともに、周部のフランジをスイッチボックス２の前面開口周辺の壁面に重ねた状態となり、その状態で上、下部の中央に穿孔している取付孔８０に取り付けねじ（図示せず）を前面部側から挿通させて取付枠４の上下枠に設けたねじ孔４ｃに螺入締結することでスイッチボックス２に取付枠４を介して取り付けられる。
【００２６】
またモジュール本体８Ａの前面部には、上、下の取付孔８０の開口位置より上または下側位置において、図１０（ａ）に示すようにモジュール本体８Ａの幅方向に幅広溝８１ａと幅狭溝８１ｂとからなる連結用溝部８１を中央の仕切壁８２で左右に二分されるように形成している。
【００２７】
この仕切壁８２の左側または右側の連結用溝部８１には図１０（ｂ）に示す合成樹脂製の連結体１００の片側半分を仕切壁８２に当たる位置まで嵌め込み、この連結体１００の残り半分を図１１に示すように拡張機能モジュール１０側に同様に設けてある連結用溝部８１に嵌め込むことで、基本機能モジュール８と拡張機能モジュール１０とを機械的に結合できるようになっている。連結体１００は背面に幅広溝８１ａ，幅狭溝８１ｂを仕切る仕切壁８１ｃが嵌る溝１００ａを設け、両溝８１ａ、８１ｂに跨るように挿入される。そして基本機能モジュール８では前面部側から化粧カバー８Ｂを着脱自在に被着することで、また拡張機能モジュール１０では蓋部８３を閉じることで、両者の連結用溝部８１に跨るように嵌め込んである連結体１００が脱落しないように保持して連結状態を維持するようになっている。而して連結体１００と連結用溝部８１とが基本機能モジュール８と拡張機能モジュール１０との連結手段を構成する。
【００２８】
本配線システムでは、複数の種類の基本機能モジュール８が準備されており、基本機能モジュール８は、図１２に示すように、被接続部７Ａを介して供給される商用電源ＡＣを安定した直流電圧からなる内部回路の動作電源＋Ｖに変換するＡＣ／ＤＣコンバータ２１と、被接続部７Ｂを介して接続される情報線Ｌ２を通じて双方向に伝送される情報信号を送受信する通信伝送部２２と、被接続部７Ａを介して商用電源ＡＣに接続される電源用コネクタ９Ａ，９Ａ’と、通信伝送部２２、被接続部７Ｂを介して情報線Ｌ２に接続される情報用コネクタ９Ｂ，９Ｂ’とを基本的に備える。そして、内部で情報信号を取り出したり、情報信号を送信する必要がある場合には、通信伝送部２２で受信される情報信号からデータを取り込んで処理を行うとともに、当該基本機能モジュール８から情報信号を送る場合の情報生成処理を行う演算処理部２３と、Ｉ／Ｏインターフェース２４を介して演算処理部２３との間でデータの授受を行って動作する機能部２５とを備え、通信伝送部２２、演算処理部２３、Ｉ／Ｏインターフェース２４で通信部２０を構成する。これら各部は動作電源＋Ｖを前記のＡＣ／ＤＣコンバータ２１から供給される。上記機能部２５の構成が基本機能モジュール８によって異なるのである。
【００２９】
基本機能モジュール８のモジュール本体８Ａの両側側面の一方側は雄型の電源用コネクタ９Ａ、情報用コネクタ９Ｂを、他方側には雌型の電源用コネクタ９Ａ’、情報用コネクタ９Ｂ’を設けている。そして、これら電源用コネクタ９Ａ，９Ａ’の接触片に被接続部７Ａの接触片を内部で接続することで、左右何れの方向に拡張機能モジュール１０が連結されても商用電源ＡＣを供給することができるようにしている。さらに、情報用コネクタ９Ｂ，９Ｂ’の接触片に通信伝送部２２の入出力を接続することで、左右何れの方向に拡張機能モジュール１０が連結されても情報信号の授受を行えるようにしている。なお、上記電源用コネクタ９Ａ，９Ａ’は、モジュール本体８Ａの両側側面において一端側に偏倚して配置され、上記情報用コネクタ９Ｂ，９Ｂ’は、モジュール本体８Ａの両側側面において他端側に偏倚して配置される。
【００３０】
これら電源用コネクタ９Ａ，９Ａ’、情報用コネクタ９Ｂ，９Ｂ’は、内部の接触部の配列、開口部の形状等がシステムとして規格化され、さらには同一面に配置された電源用コネクタと情報用コネクタとの間隔もシステムとして規格化されており、拡張機能モジュール１０の後述する電源用コネクタ１１Ａ，１１Ａ’、情報用コネクタ１１Ｂ，１１Ｂ’が着脱自在に結合されるようになっている。
【００３１】
次に、本配線システムでは、複数の種類の拡張機能モジュール１０が準備されており、拡張機能モジュール１０は図１３に示すように、電源用コネクタ１１Ａ，１１Ａ’と、情報用コネクタ１１Ｂ，１１Ｂ’と、電源用コネクタ１１Ａ，１１Ａ’いずれか一方を介して供給される商用電源ＡＣを、安定した直流電圧からなる内部回路の動作電源＋Ｖに変換するＡＣ／ＤＣコンバータ３１と、情報用コネクタ１１Ｂ，１１Ｂ’を介して双方向に伝送される情報信号を送受信する通信伝送部３２とを基本的に備える。そして、内部で情報信号を取り出したり、情報信号を送信する必要がある場合には、通信伝送部３２で受信される情報信号からデータを取り込んで処理を行うとともに、当該拡張機能モジュール１０から情報信号を送る場合の情報生成処理を行う演算処理部３３と、Ｉ／Ｏインターフェース３４を介して演算処理部３３との間でデータの授受を行って動作する機能部３５とを備え、通信伝送部３２、演算処理部３３、Ｉ／Ｏインターフェース３４で通信部３０を構成する。これら各部は動作電源＋Ｖを前記のＡＣ／ＤＣコンバータ３１から供給される。上記機能部３５の構成が拡張機能モジュール１０によって異なるのである。
【００３２】
そして、拡張機能モジュール１０は、基本的には図１４（ａ）に示すようにモジュール本体１０Ａの高さ寸法を基本機能モジュール８と同じ高さ寸法に規格化され、また横幅寸法も規格化された単位モジュール寸法の整数倍に規格化されている。
【００３３】
また、合成樹脂製（ＡＢＳ等の非結晶性汎用プラスチック）で扁平なモジュール本体１０Ａの両側側面の一方側は雄型の電源用コネクタ１１Ａ、情報用コネクタ１１Ｂを、他方側には雌型の電源用コネクタ１１Ａ’、情報用コネクタ１１Ｂ’を設けている。上記電源用コネクタ１１Ａ，１１Ａ’は、モジュール本体１０Ａの両側側面において一端側に偏倚して配置され、上記情報用コネクタ１１Ｂ，１１Ｂ’は、モジュール本体１０Ａの両側側面において他端側に偏倚して配置される。これら電源用コネクタ１１Ａ，１１Ａ’、情報用コネクタ１１Ｂ，１１Ｂ’は、基本機能モジュール８の電源用コネクタ９Ａ，９Ａ’、情報用コネクタ９Ｂ，９Ｂ’と同様に、内部の接触部の配列、開口部の形状等がシステムとして規格化され、さらには同一面に配置された電源用コネクタと情報用コネクタとの間隔もシステムとして規格化されており、基本機能モジュール８の電源用コネクタ９Ａ，９Ａ’、情報用コネクタ９Ｂ，９Ｂ’、あるいは他の拡張機能モジュール１０の電源用コネクタ１１Ａ，１１Ａ’、情報用コネクタ１１Ｂ，１１Ｂ’が着脱自在に結合されるようになっている。
【００３４】
具体的には、雄型の電源用コネクタ１１Ａ、情報用コネクタ１１Ｂは、基本機能モジュール８の雌型の電源用コネクタ９Ａ’、情報用コネクタ９Ｂ’、あるいは他の拡張機能モジュール１０の雌型の電源用コネクタ１１Ａ’、情報用コネクタ１１Ｂ’に接続し、雌型の電源用コネクタ１１Ａ’、情報用コネクタ１１Ｂ’は、基本機能モジュール８の雄型の電源用コネクタ９Ａ、情報用コネクタ９Ｂ、あるいは他の拡張機能モジュール１０の雄型の電源用コネクタ１１Ａ、情報用コネクタ１１Ｂに接続する。
【００３５】
そして、モジュール本体１０Ａ内ではこれら電源用コネクタ１１Ａ，１１Ａ’の接触片を互いに接続しており、片側の電源用コネクタが隣接する基本機能モジュール８または拡張機能モジュール１０の電源用コネクタに嵌合して電力を受け取る側となると、他方の電源用コネクタが電力供給側となる。
【００３６】
さらに、情報用コネクタ１１Ｂ，１１Ｂ’の接触片に通信伝送部３２の入出力を接続することで、左右何れの方向に基本機能モジュール８や、他の拡張機能モジュール１０が連結されても情報信号の授受を行えるようにしており、両側に隣接する基本機能モジュール８または拡張機能モジュール１０との間で情報信号を授受できるようになっている。
【００３７】
また、拡張機能モジュール１０のモジュール本体１０Ａの形状は、背面を図１４（ｂ）、（ｃ）に示すように平坦な面に形成して壁面に沿わせることができるようにしている。そして上下位置には上述の連結体１００を基本機能モジュール８と同様に挿入するための幅広溝８１ａ、幅狭溝８１ｂからなる連結用溝部８１を設けるとともに、この連結用溝部８１を開閉する蓋部８３を設け、連結体１００を装着する際や外す場合にはこの蓋部８３を開き、連結体１００の装着状態を保持する際には上述したように閉じるようになっている（図１４（ｃ）参照）。
【００３８】
上記ゲート装置３に取り付けられた基本機能モジュール８、拡張機能モジュール１０は、宅内に配設された情報線Ｌ２を介して互いに接続された宅内ネットワークを構成しており、図２は、台所Ｒ１、居間Ｒ２、書斎Ｒ３を有する宅内において、この宅内ネットワークを用いた料理支援システムの構成を示し、図３〜図５は、宅内に設けた台所Ｒ１、居間Ｒ２、書斎Ｒ３における各機能モジュールの配設例を示す。以下、この料理支援システムについて説明する。
【００３９】
まず、電力線Ｌ１，情報線Ｌ２は住宅やビル等の建物内の壁面内に先行配線されて各ゲート装置３に配線されており、台所Ｒ１のミドルポジションＭＰに設けられたゲート装置３には、料理レシピの検索、表示等を行う基本機能モジュール８ａ（以後、料理支援モジュール８ａと称す）が接続される。
【００４０】
さらに、台所Ｒ１のローポジションＬＰに設けられたゲート装置３には、電源プラグ用の栓刃接続部２８を有するとともに電力線搬送通信機能を設けた基本機能モジュール８ｂ（以後、通信機能付きコンセントモジュール８ｂと称す）が接続され、通信機能付きコンセントモジュール８ｂには、電力線搬送通信を用いて在庫情報を電源プラグ２００ａから送信可能な冷蔵庫２００が接続されている。（図３参照）。
【００４１】
また、居間Ｒ２のミドルポジションＭＰに設けられたゲート装置３には、各機能モジュール間の通信制御、監視動作を行う基本機能モジュール８ｃ（以後、制御監視モジュール８ｃと称す）、部屋間のインターホン機能を有する基本機能モジュール８ｄ（以後、インターホンモジュール８ｄ）が接続される。
【００４２】
さらに、居間Ｒ２のハイポジションＨＰに設けられたゲート装置３には、火災検知を行う基本機能モジュール８ｅ（以後、火災検知モジュール８ｅと称す）が接続される。
【００４３】
さらに、居間Ｒ２のローポジションＬＰに設けられたゲート装置３には、電源プラグ用の栓刃接続部２８を有する基本機能モジュール８ｆ（以後、コンセントモジュール８ｆと称す）が接続され、コンセントモジュール８ｆには、テレビ等の電気機器（図示なし）が接続される。（図４参照）
また、書斎Ｒ３のミドルポジションＭＰに設けられたゲート装置３には、インターホンモジュール８ｄが接続され、居間Ｒ２に設置したインターホンモジュール８ｄとの間で通話を行うことができる。（図５参照）
料理支援モジュール８ａの機能部２５は、図１に示すように、料理情報制御部２５０ａ、料理レシピ記憶部２５０ｂ、レシピ選択部２５０ｃ、表示部２５０ｄ、操作部２５０ｅ、音声認識部２５０ｆ、リクエスト記憶部２５０ｇ、モジュール情報記憶部２５０ｈで構成され、料理情報制御部２５０ａは、通信伝送部２２、演算処理部２３、Ｉ／Ｏインターフェース２４からなる通信部２０を通じて、情報線Ｌ２を介した他の機能モジュール８，１０との間で情報信号の授受を行い、各部の動作を制御する。また、化粧カバー８Ｂの前面には表示部２５０ｄの液晶画面、操作部２５０ｅの操作スイッチを露出させている。
【００４４】
通信機能付きコンセントモジュール８ｂは、図１５に示すように、電源用コネクタ７Ａ−電源用コネクタ９Ａ，９Ａ´間から引き出された電源ラインを接続した栓刃接続部２８を備え、化粧カバー８Ｂの前面には栓刃接続部２８を露出させている。そして、機能部２５は、栓刃接続部２８を介した電力線搬送通信機能を有しており、図１６に示すように、栓刃接続部２８を流れる電流からデータを取り込んだり、栓刃接続部２８を流れる電流にデータを重畳させるＰＬＣモデム２５１ａと、ＰＬＣモデム２５１ａを介したデータ授受を制御するＰＬＣ通信部２５１ｂと、モジュール情報記憶部２５１ｃとを備える。
【００４５】
制御監視モジュール８ｃの機能部２５は、図１７に示すように、制御部２５２ａ、モジュール情報記憶部２５２ｂで構成され、制御部２５２ａが通信部２０を通じて、情報線Ｌ２を介した他の機能モジュール８，１０との間で情報信号の授受を行い、各機能モジュール間の通信制御、監視動作を行う。
【００４６】
インターホンモジュール８ｄの機能部２５は、図１８に示すように、スピーカＳＰ、マイクロホンＭ、通話制御部２５３ａ、操作部２５３ｂ、モジュール情報記憶部２５３ｃで構成され、マイクロホンＭから入力された音声情報は通話制御部２５３ａを介して情報線Ｌ２に伝送され、情報線Ｌ２を介して伝送された音声情報は通話制御部２５３ａを介してスピーカＳＰから出力され、通話先は操作部２５３ｂを操作することで設定される。また、化粧カバー８Ｂの前面にはスピーカＳＰ、マイクロホンＭが配置されるとともに、操作部２５３ｂの操作スイッチが露出している。
【００４７】
火災検知モジュール８ｅの機能部２５は、図１９に示すように、熱検知部２５４ａ、熱検知部２５４ａの出力に基づいて火災の発生を検知した場合に火災検知信号を生成して送るデータ生成機能を有するＣＰＵ部２５４ｂ、モジュール情報記憶部２５４ｃで構成される。
【００４８】
コンセントモジュール８ｆは、図２０に示すように、電源用コネクタ７Ａ−電源用コネクタ９Ａ，９Ａ´間から引き出された電源ラインを接続した栓刃接続部２８を備え、化粧カバー８Ｂの前面に栓刃接続部２８を露出させている。
【００４９】
また、制御監視モジュール８ｃは、データ授受を行う各機能モジュール（ここでは、料理支援モジュール８ａ、通信機能付きコンセントモジュール８ｂ、インターホンモジュール８ｄ、火災検知モジュール８ｅ）にモジュール識別情報を自動的に割り当てる機能を有しており、各機能モジュールに割り当てられたモジュール識別情報は、各機能モジュールのモジュール情報記憶部２５０ｈ、２５１ｃ、２５３ｃ、２５４ｃに格納される。また、制御監視モジュール８ｃのモジュール情報記憶部２５２ｂには、各機能モジュールに割り当てたモジュール識別情報が全て格納されている。
【００５０】
上記モジュール識別情報の割り付け機能は、例えば、制御監視モジュール８ｃにＵＰｎＰ（ユニバーサル・プラグ・アンド・プレイ）のコントロールポイントの機能を実装することで実現でき、ＵＰｎＰにおいてデバイスの検出を行うＳＳＤＰ（Simple Service Discovery Protocol）を利用してＵＰｎＰのデバイスに相当する各機能モジュールを自動的に検出し、各機能モジュールのネットワークアドレス（モジュール識別情報）、すなわちプライベートのＩＰアドレスを、ＤＨＣＰ（Dynamic Host Configuration Protocol）を用いて自動的に割り当てる。但し、ＤＨＣＰを用いたネットワークアドレスの自動割り当てについては従来周知であるから詳細な説明は省略する。
【００５１】
そして、各機能モジュールが送信する情報信号には送信先の機能モジュールの識別情報が含まれており、制御監視モジュール８ｃで行われる各機能モジュールの制御、監視動作は、各機能モジュールに割り付けた識別情報を利用して行われる。例えば、インターホンモジュール８ｄが送信する音声情報や、火災検知モジュール８ｅが送信する火災検知信号は、制御監視モジュール８ｃで中継されて、送信先のインターホンモジュール等の機能モジュールへ伝送され、インターホンモジュール８ｄ間での通話制御や、火災発生時の警報報知等が行われる。
【００５２】
料理支援モジュール８ａは、このような宅内ネットワークに接続しており、本実施形態の料理支援システムの動作について、以下説明する。
【００５３】
まず、料理支援モジュール８ａの料理レシピ記憶部２５０ｂは、様々な料理のレシピを格納しており、この料理レシピには、料理名、食材の名称と数量、調理方法等の情報が含まれている。また、料理レシピ記憶部２５０ｂに格納されている料理レシピは、料理情報制御部２５０ａがゲートウェイＧＷを介してインターネット網ＮＴに接続しているサーバ装置（図示なし）から料理レシピ情報をダウンロードすることで、追加、更新可能である。
【００５４】
そして、レシピ選択部２５０ｃは、操作部２５０ｅを操作することで入力される料理名やキーワード等に基づいて、料理レシピ記憶部２５０ｂに格納されている様々な料理レシピの中から該当する料理レシピを選択して、そのレシピの内容を表示部２５０ｄに表示する。この料理支援モジュール８ａは台所Ｒ１に設置されており、ユーザは、表示部２５０ｄに表示される料理レシピを見ながら料理をすることができる。
【００５５】
さらに、料理支援モジュール８ａは、宅内ネットワークを介して接続された各機能モジュールからの情報に基づいても料理レシピ決定することができ、冷蔵庫２００の在庫情報に基づいて料理支援モジュール８ａが料理レシピを決定する動作について、次に説明する。なお、各機能モジュール間の情報信号の授受は、上記制御監視モジュール８ｃで中継されることで制御、監視されるが、以下の説明では、制御監視モジュール８ｃの中継動作については省略する。
【００５６】
冷蔵庫２００は、電源プラグ２００ａを台所Ｒ１に設けた通信機能付きコンセントモジュール８ｂの栓刃接続部２８に接続することで、電力線Ｌ１から電源が供給されて動作する。また、冷蔵庫２００は、電源プラグ２００ａを介した電力線搬送通信機能を有しており、図２１に示すように、電源プラグ２００ａを流れる電流からデータを取り込んだり、電源プラグ２００ａを流れる電流にデータを重畳させるＰＬＣモデム２００ｂと、ＰＬＣモデム２００ｂを介したデータ授受を制御するＰＬＣ通信部２００ｃとを備える。さらには、在庫記憶部２００ｄ、在庫情報入力部２００ｂが設けられており、冷蔵庫２００内の食材の入庫、出庫に応じて在庫情報入力部２００ｂを操作することで、在庫記憶部２００ｃには現在、冷蔵庫２００内に保存されている食材の在庫情報が格納される。
【００５７】
そして、料理支援モジュール８ａの操作部２５０ｅを操作することで、在庫要求が料理支援モジュール８ａから情報線Ｌ２を介して通信機能付きコンセントモジュール８ｂに送信されると、通信機能付きコンセントモジュール８ｂでは、栓刃接続部２８から冷蔵庫２００に供給される電流に在庫要求を重畳させる。電源プラグ２００ａを介して在庫要求を受けとった冷蔵庫２００は、在庫記憶部２００ｄに格納されている在庫情報を、電源プラグ２００ａを流れる電流に重畳させる。栓刃接続部２８を介して在庫情報を受け取った通信機能付きコンセントモジュール８ｂは、この在庫情報を情報線Ｌ２を介して料理支援モジュール８ａに送信する。
【００５８】
在庫情報を受け取った料理支援モジュール８ａでは、レシピ選択部２５０ｃが、料理レシピ記憶部２５０ｂに格納されている様々な料理レシピの中から、現在在庫している食材を用いて調理可能な料理レシピを選択して、表示部２５０ｄに表示する。レシピ選択部２５０ｃが複数の料理レシピを選択した場合は、表示部２５０ｄに複数の料理レシピが表示され、ユーザは所望の料理レシピを選択することができる。このように、家人は、食材の注文、買い出しをすることなく調理可能な料理がわかる。
【００５９】
次に、インターホンモジュール８ｄからの音声情報に基づいて、料理支援モジュール８ａが料理レシピを決定する動作について説明する。
【００６０】
インターホンモジュール８ｄの操作部２５３ｂを操作して通話先を料理支援モジュール８ａに設定した後、所望の料理の種類や料理名（例えば、「さっぱりした料理」、「和食」、「おでん」等）をマイクロホンＭに向かって発すると、音声情報として情報線Ｌ２に伝送される。この音声情報を受け取った料理支援モジュール８ａでは、音声認識部２５０ｆが当該音声情報を解析してその内容（料理の種類、料理名）を認識した後、リクエスト記憶部２５０ｇにリクエスト情報として格納する。リクエスト記憶部２５０ｇには複数のリクエスト情報を格納することができ、例えば、居間Ｒ２に設置したインターホンモジュール８ｄからのリクエスト情報、書斎Ｒ３に設置したインターホンモジュール８ｄからのリクエスト情報を随時格納することができる。
【００６１】
そして、家人が料理をするときには、料理支援モジュール８ａの操作部２５０ｅを操作して、リクエスト記憶部２５０ｇに格納されているリクエスト情報を表示部２５０ｄに表示させることで、他の家人が何を食べたいかがわかり、メニュー決定の参考にできる。
【００６２】
また、料理支援モジュール８ａの操作部２５０ｅを操作することで、レシピ選択部２５０ｃが、リクエスト記憶部２５０ｇに格納されているリクエスト情報に基づいて、料理レシピ記憶部２５０ｂから最適な料理レシピを選択し、選択した料理レシピを表示部２５０ｄに表示する機能も備えている。例えば、料理レシピ記憶部２５０ｂに、最近の１週間で使用された料理レシピとその回数も格納しておく。そしてレシピ選択部２５０ｃは、リクエスト記憶部２５０ｇに格納されている各リクエスト情報に基づく料理レシピを料理レシピ記憶部２５０ｂから読み出し、読み出した料理レシピから、最近使用された料理レシピをその使用回数に応じて除外し、最近使われていない料理レシピを選択して表示部２５０ｄに表示すれば、家人のリクエストに応えながらも同一料理の重複を防止することができる。
【００６３】
上記では、インターホンモジュール８ｄを料理リクエスト入力機器として用いており、料理のリクエスト情報は音声信号で送信されるが、図２２に示すように、キーボード等の入力部２５５ａと、入力部２５５ａから入力された文字情報を送信部２０を介して情報線Ｌ２に伝送させる制御部２５５ｂとを備えた文字情報入力モジュール８ｇを料理リクエスト入力機器として用いてもよい。文字情報入力モジュール８ｇをゲート装置３に接続し、文字情報入力モジュール８ｇの制御部２５５ｂは、入力部２５５ａから入力された所望の料理の種類や料理名の文字情報をリクエスト情報として、料理支援モジュール８ａへ送信する。料理支援モジュール８ａの料理情報制御部２５０ａは、受け取った文字情報をリクエスト記憶部２５０ｇに格納し、レシピ選択部２５０ｃは、リクエスト情報に基づいた動作を行う。
【００６４】
例えば５人家族で、料理の種類について３人が「和食」、２人が「洋食」の場合は、料理の種類として「和食」が採用され、且つ味付けについて４人が「あっさりした味付け」、１人が「濃い味付け」ならば、味付けとして「あっさりした味付け」が採用され、結果的に「あっさりした味付けの和食」の料理レシピが選択される。さらに、使う食材として「野菜」、「魚」、「肉」等の情報があれば、例えば「魚を用いたあっさりした味付けの和食」と特定でき、その料理レシピを選択することになる。すなわち、複数の家人からのリクエストがあった場合、料理の種類、味付け、使う食材等の各項目について各々多数決をとり、各項目において多数決をとった結果を総合して料理レシピを選択する。
【００６５】
また、図２３に示すように、テレビ映像の録画機器（ＤＶＤレコーダ、ビデオデッキ等）やパソコン等のデータ出力端子からのケーブルをコネクタ接続するコネクタ部２５６ａと、コネクタ部２５６ａを介して入力されたデータを情報線Ｌ２に伝送する制御部２５６ｂとを備えたコネクタモジュール８ｈをゲート装置３に接続し、料理支援モジュール８ａの料理情報制御部２５０ａは、録画機器やパソコンからコネクタモジュール８ｈを介して送信される料理レシピのデータを料理レシピ記憶部２５０ｂに格納してもよい。この場合、各家庭内に存在するＤＶＤレコーダやビデオデッキ等のテレビ映像録画機器や、インターネット網ＮＴからデータのダウンロードが可能なパソコン等を料理レシピ取得機器として用いることで、様々な料理レシピを情報線Ｌ２を介して容易に料理レシピ記憶部２５０ｂに格納することができ、料理支援モジュール８ａ本体に専用の料理レシピ取得機器を備える必要がなく、構成の簡略化、低コスト化を図ることができる。
【００６６】
本実施形態では、通信機能付きコンセントモジュール８ｂと冷蔵庫２００のように、機能モジュールと当該機能モジュールとの間で情報信号の授受を行う機器との組み合わせで１つの宅内機器を構成したり、インターホンモジュール８ｄや文字情報入力モジュール８ｇのように機能モジュール自体に宅内機器の機能を組み込んだもの宅内機器として用いている。しかし、いずれにしても、料理支援モジュール８ａをゲート装置３に接続すれば、料理支援モジュール８ａと宅内機器との間で情報信号の授受を容易に行うことができ、料理支援モジュール８ａを新規に設置する場合、あるいは宅内機器を新規に設置する場合でも、ゲート装置３を介して互いに情報信号の授受が可能となり、料理支援モジュール８ａと宅内機器との連動を容易に行うことができる。なお、料理支援モジュール８ａと連動する宅内機器は、冷蔵庫やインターホン装置等に限定されるものではない。
【００６７】
なお、本実施形態の料理支援システムが適用される配線システムに用いられる基本機能モジュール８、拡張機能モジュール１０としては上記以外に、空調機器の運転操作器や、空調機器の温度設定器や、電力供給を利用した電気カミソリ、電動歯ブラシ、携帯オーディオプレーヤ等の充電器、監視カメラ等で撮像した映像の伝送機能やモニタ機能を有するインターホンの親機，子機、人感センサ等がある。
【００６８】
また、上記各機能モジュールは、基本機能モジュール８、拡張機能モジュール１０のいずれでも構成できる
また、ゲート装置３、基本機能モジュール８、拡張機能モジュール１０がコネクタの代わりにコアにコイルを巻回した構成を各々備えて、互いのコアが磁気結合することで相手側のコイルに低圧交流電源電圧を誘起させて電源供給を行い、さらには情報信号をＥ／Ｏ変換を経て送り出し、情報信号をＯ／Ｅ変換を経て取り込むことで、光信号からなる情報信号を発光素子、受光素子を用いて非接触で双方向に伝送すれば、ゲート装置３、基本機能モジュール８、拡張機能モジュール１０間の電力、情報信号の授受を非接触で行うことができる。
【００６９】
また、システム全体の情報信号の伝送方式を電力線搬送方式で行えば、電力路と情報路との共通化を図ることができる。
【００７０】
なお、本発明の機能モジュールを用いる料理支援システムの情報信号の伝送方式としては、ベースバンド伝送またはブロードバンド伝送の何れを採用しても良く、またプロトコルも何れでも良く、特に限定されるものではないので、説明は省略する。またゲート装置３間の使用プロトコルと、ゲート装置３に連なる機能モジュール８，１０での使用プロトコルを異ならせ、例えばゲート装置３でプロトコル変換を行うようにしても良い。
【００７１】
また、本料理支援システムにおいては、例えば図６に示すように、基本機能モジュール８をゲート装置３に接続し、基本機能モジュール８の右側部にはある機能を有する拡張機能モジュール１０を接続し、この拡張機能モジュール１０の右側部には異なる機能を有する拡張機能モジュール１０を接続することができ、したがって、予め同一に配線されている電力線Ｌ１、情報線Ｌ２にゲート装置３、基本機能モジュール８、拡張機能モジュール１０を接続することで、各機能モジュールは電力路と情報路とを同時に確保でき、新たに配線工事を行う必要がなく、施工性に優れている。また、各機能モジュールは互いに同一の情報線Ｌ２を用いることで、他の機能モジュールとの間の連動制御を容易に行なうことができ、拡張性に優れたものとなる。
【００７２】
而して基本機能モジュール８を使用するに当たっては、まず、ゲート装置３を予め建物の適所の壁面に埋設してあるスイッチボックス２に取付枠４を介して取り付け、先行配線されている電力線Ｌ１，情報線Ｌ２の接続を行う。その後、ゲート装置３の前面部に設けられた電線路接続口６Ａ，６Ｂに対して基本機能モジュール８のコネクタ７の対応する被接続部７Ａ，７Ｂを接続するとともに、基本機能モジュール８をゲート装置３の前面部を覆うように取付枠４に取り付ける。この基本機能モジュール８はこの取り付けた状態において壁面よりも前面部が突出し、両側面が室内側に露出することになる。
【００７３】
そして、拡張機能モジュール１０は基本機能モジュール８の露出した両側側面の一方に片側の側面を面接させてコネクタ接続し、この状態で連結体１００を用いて拡張機能モジュール１０と基本機能モジュール８とを機械的に連結する。これによって基本機能モジュール８と拡張機能モジュール１０とで機能モジュールが構成されることになる。このとき拡張機能モジュール１０の背面はスイッチボックス２の側方の壁面に沿うことになり、例えば壁面にクロス貼り等が施されている場合、拡張機能モジュール１０の背面の位置が多少のずれていてもそれを吸収して背面を壁部に密接させた状態に配設することができ、拡張機能モジュール１０の前面部から操作力等が加わっても連結部位に加わる荷重を軽減することができる。
【００７４】
さらに先に連結した拡張機能モジュール１０に別の拡張機能モジュール１０を連結する場合には、対向側面を面接させてコネクタ接続した状態で連結体１００により互いに機械的に連結する。このようにして図６に示すように順次拡張機能モジュール１０を側方に連結することができる。
【００７５】
なお、基本機能モジュール８は両側に拡張機能モジュール１０を連結することができるため、基本機能モジュール８の両側方向に拡張機能モジュール１０を連結しても良い。このようにして拡張機能モジュール１０を連結した後、両端に位置する拡張機能モジュール１０または基本機能モジュール８の連結部位の側部に着脱自在にエンドカバー１０１を被着することで、拡張機能モジュール１０の連結施工が完了することになる。なお、基本機能モジュール８に拡張機能モジュール９を連結しない状態、つまり未使用のまま置いておく場合にはエンドカバー１０１を基本機能モジュール８の両側部に被着する。
【００７６】
以上のようにして配設施工が終了し、システムが完成した後は、対応する基本機能モジュール８、拡張機能モジュール１０間で情報信号の授受を行う。
【００７７】
また、本実施形態では拡張機能モジュール１０や基本機能モジュール８の追加や削除に特別な施工が不要となり、そのため一般ユーザの好みに合わせて拡張機能モジュール１０を基本機能モジュール８に連結するだけで、拡張性が確保される。
【００７８】
なお、本実施形態に用いるゲート装置３は取付枠４でスイッチボックス２に取り付けているが、スイッチボックス２の奥壁に直接取り付け、基本機能モジュール８をスイッチボックス２に取り付ける構成としても勿論良い。
【図面の簡単な説明】
【００７９】
【図１】実施形態の料理支援システムにおける料理支援モジュールの回路構成図である。
【図２】同上の配線システムの構成図である。
【図３】同上の台所におけるシステムの配設例を示す斜視図である。
【図４】同上の居間におけるシステムの配設例を示す斜視図である。
【図５】同上の書斎におけるシステムの配設例を示す斜視図である。
【図６】同上の機能モジュールの配設状態を示す斜視図である。
【図７】同上のゲート装置を取付枠に取り付けた状態の正面図である。
【図８】同上のゲート装置への配線形態を示す斜視図である。
【図９】同上の基本機能モジュールをスイッチボックスから外した状態の斜視図である。
【図１０】（ａ）は同上の基本機能モジュールの化粧カバーを外した状態の斜視図、（ｂ）は連結体の斜視図である。
【図１１】同上の基本機能モジュールと拡張モジュールとの連結構成の説明図である。
【図１２】同上のゲート装置、基本機能モジュールの回路構成図である。
【図１３】同上の拡張機能モジュールの回路構成図である。
【図１４】同上の拡張機能モジュールを示し、（ａ）は正面図、（ｂ）は側面図、（ｃ）は蓋部を開き、連結体を外した状態の側面図である。
【図１５】同上の通信機能付きコンセントモジュールの回路構成図である。
【図１６】同上の通信機能付きコンセントモジュールの機能部の回路構成図である。
【図１７】同上の制御監視モジュールの機能部の回路構成図である。
【図１８】同上のインターホンモジュールの機能部の回路構成図である。
【図１９】同上の火災検知モジュールの機能部の回路構成図である。
【図２０】同上のコンセントモジュールの回路構成図である。
【図２１】同上の冷蔵庫の電力線搬送通信機能の回路構成図である。
【図２２】同上の文字情報入力モジュールの機能部の回路構成図である。
【図２３】同上のコネクタモジュールの機能部の回路構成図である。
【符号の説明】
【００８０】
Ｌ１  電力線
Ｌ２  情報線
３  ゲート装置
８  基本機能モジュール
８ａ  料理支援モジュール
１０    拡張機能モジュール
２０  通信部
２５０ａ  料理情報制御部
２５０ｂ  料理レシピ記憶部
２５０ｃ  レシピ選択部
２５０ｄ  表示部
【図１】
2007265048.tif 000003
【図２】
2007265048.tif 000004
【図３】
2007265048.tif 000005
【図４】
2007265048.tif 000006
【図５】
2007265048.tif 000007
【図６】
2007265048.tif 000008
【図７】
2007265048.tif 000009
【図８】
2007265048.tif 000010
【図９】
2007265048.tif 000011
【図１０】
2007265048.tif 000012
【図１１】
2007265048.tif 000013
【図１２】
2007265048.tif 000014
【図１３】
2007265048.tif 000015
【図１４】
2007265048.tif 000016
【図１５】
2007265048.tif 000017
【図１６】
2007265048.tif 000018
【図１７】
2007265048.tif 000019
【図１８】
2007265048.tif 000020
【図１９】
2007265048.tif 000021
【図２０】
2007265048.tif 000022
【図２１】
2007265048.tif 000023
【図２２】
2007265048.tif 000024
【図２３】
2007265048.tif 000025